(57)【要約】【課題】使用者が容易に且つ短時間で歯の洗浄を行うことができる箱形の歯洗浄装置を提供する。【解決手段】前面部７と、背面部９と、上記前面部７と背面部９とを結合する結合部１１とを備える。前面部の内面１３と背面部の内面１５との間に凹部１９が形成される。前面部の内面１３と背面部の内面１５の両方または一方に歯洗浄作用部２１が設けられ、凹部１９を歯列Ｔに被せた状態で歯列に沿って本体部３を移動させたときに、歯洗浄作用部２１が歯の前面と歯の背面の両方または一方に接触して歯の洗浄作用を生じる。【選択図】図１
2018187020.tif 000002
【特許請求の範囲】
【請求項１】
前面部と、背面部と、前記前面部と背面部とを結合する結合部とを備え、前記前面部の内面と前記背面部の内面との間に凹部が形成される本体部と、
前記前面部の内面と前記背面部の内面の両方または一方に設けられる歯洗浄作用部とを備え、
前記凹部を歯列に被せた状態で歯列に沿って前記本体部を移動させたときに、前記歯洗浄作用部が歯の前面と歯の背面の両方または一方に接触して歯の洗浄作用を生じることを特徴とする歯洗浄装置。
【請求項２】
請求項１に記載の歯洗浄装置において、
前記本体部には把手が接続されていることを特徴とする歯洗浄装置。
【請求項３】
請求項２に記載の歯洗浄装置において、
前記把手は前記本体部に対して着脱可能であることを特徴とする歯洗浄装置。
【請求項４】
請求項２または３に記載の歯洗浄装置において、
前記把手は前記本体部に対して回動可能であることを特徴とする歯洗浄装置。
【請求項５】
請求項２または３に記載の歯洗浄装置において、
前記把手は前記本体部に対して特定の角度で固定可能であることを特徴とする歯洗浄装置。
【請求項６】
請求項２から５のいずれか一項に記載の歯洗浄装置において、
前記把手はリング状であることを特徴とする歯洗浄装置。
【請求項７】
請求項１から６のいずれか一項に記載の歯洗浄装置において、
前記歯洗浄作用部は海綿状の材料であることを特徴とする歯洗浄装置。
【請求項８】
請求項１から６のいずれか一項に記載の歯洗浄装置において、
前記歯洗浄作用部はブラシであることを特徴とする歯洗浄装置。
【請求項９】
請求項１から８のいずれか一項に記載の歯洗浄装置において、
前記歯洗浄作用部には歯洗浄補助液が含浸されていることを特徴とする歯洗浄装置。
【請求項１０】
請求項１から９のいずれか一項に記載の歯洗浄装置において、
前記結合部の内面にはブラシが形成されていることを特徴とする歯洗浄装置。
【請求項１１】
請求項１から１０のいずれか一項に記載の歯洗浄装置において、
前記前面部の内面と前記背面部の内面とが互いの方へ付勢傾向にあることを特徴とする歯洗浄装置。
【請求項１２】
請求項１から１１のいずれか一項に記載の歯洗浄装置において、
前記前面部の内面は歯列の前面の曲率と同じ曲率を有し、前記背面部の内面は歯列の背面の曲率と同じ曲率を有することを特徴とする歯洗浄装置。
【請求項１３】
前記前面部および背面部の長さがそれぞれ異なる複数組の請求項１から１２のいずれか一項に記載の歯洗浄装置を備えている歯洗浄装置セット。
【請求項１４】
前記前面部および背面部の高さがそれぞれ異なる複数組の請求項１から１２のいずれか一項に記載の歯洗浄装置を備えている歯洗浄装置セット。
【請求項１５】
前記前面部の内面の曲率および背面部の内面の曲率がそれぞれ異なる複数組の請求項１から１２のいずれか一項に記載の歯洗浄装置を備えている歯洗浄装置セット。
【請求項１６】
請求項１から１２のいずれか一項に記載の歯洗浄装置において、前記本体部は、前記凹部を歯列に被せた状態で歯列に沿って前記本体部を移動させたときに、前歯での歯列の曲率から奥歯での歯列の曲率の変化に対応して前記本体部の長手方向での曲率が変化するように可撓性を有する歯洗浄装置。
【発明の詳細な説明】
【技術分野】
【０００１】
本発明は、歯に付着した食べ残し、歯垢、汚れなどの除去に使用でき、従来の歯ブラシの欠点を補うように開発された歯洗浄装置に関する。
【背景技術】
【０００２】
歯に付着した歯垢の除去には、従来から歯ブラシが一般に使用されている。一般的に歯ブラシは長い把手を備えており、把手の先端に堅いブラシが設けられている。
【先行技術文献】
【特許文献】
【０００３】
【特許文献１】特開２００９−２４７８００号公報
【特許文献２】特開２００５−１７７２５３号公報
【特許文献３】特開２００４−１４８０７９号公報
【特許文献４】特開２００７−５４１４８号公報
【特許文献５】特開２００９−４５３４５号公報
【発明の概要】
【発明が解決しようとする課題】
【０００４】
このような従来の歯ブラシは口腔の奥まで届いて奥歯を磨くのに適している反面、長い把手の先端が口腔内に当たることで口腔内の皮膚を傷つけたり、ブラシにより歯茎を損傷させてしまうなどの問題点もあった。また従来の歯ブラシの形状ではブラッシングが行き届きにくい場所があり、以下の特許文献１−５に示すように超音波装置による洗浄を併用しなければならないという面もあった。
【課題を解決するための手段】
【０００５】
本発明者は鋭意検討を重ねた結果、従来の歯ブラシの上記問題点を解決するために、使用者が容易に且つ短時間で歯の洗浄を行うことができる箱形の歯洗浄装置を開発するに至った。
即ち本発明の歯洗浄装置は、前面部と、背面部と、上記前面部と背面部とを結合する結合部とを備え、上記前面部の内面と上記背面部の内面との間に凹部が形成される本体部と、上記前面部の内面と上記背面部の内面の両方または一方に設けられる歯洗浄作用部とを備え、上記凹部を歯列に被せた状態で歯列に沿って上記本体部を移動させたときに、上記歯洗浄作用部が歯の前面と歯の背面の両方または一方に接触して歯の洗浄作用を生じることを特徴とするものである（第１の態様の実施形態）。
【０００６】
上記発明において、上記本体部には把手が接続されていてもよい（第２の態様の実施形態）。
上記発明において、上記把手は上記本体部に対して着脱可能であってもよい（第３の態様の実施形態）。
上記発明において、上記把手は上記本体部に対して回動可能であってもよい（第４の態様の実施形態）。
【０００７】
上記発明において、上記把手は上記本体部に対して特定の角度で固定可能であってもよい（第５の態様の実施形態）。
上記発明において、上記把手はリング状であってもよい（第６の態様の実施形態）。
上記発明において、上記歯洗浄作用部は海綿状の材料であってもよい（第７の態様の実施形態）。
【０００８】
上記発明において、上記歯洗浄作用部はブラシであってもよい（第８の態様の実施形態）。
上記発明において、上記歯洗浄作用部には歯洗浄補助液が含浸されていてもよい（第９の態様の実施形態）。
上記発明において、上記結合部の内面にはブラシが形成されていてもよい（第１０の態様の実施形態）。
【０００９】
上記発明において、上記前面部の内面と上記背面部の内面とが互いの方へ付勢傾向にあってもよい（第１１の態様の実施形態）。
上記発明において、上記前面部の内面は歯列の前面の曲率と同じ曲率を有し、上記背面部の内面は歯列の背面の曲率と同じ曲率を有していてもよい（第１２の態様の実施形態）。
また本願発明は、上記前面部および背面部の長さがそれぞれ異なる複数組の上記歯洗浄装置を備えている歯洗浄装置セットであってもよい（第１３の態様の実施形態）。
【００１０】
また本願発明は、上記前面部および背面部の高さがそれぞれ異なる複数組の上記歯洗浄装置を備えている歯洗浄装置セットであってもよい（第１４の態様の実施形態）。
また本願発明は、上記前面部の内面の曲率および背面部の内面の曲率がそれぞれ異なる複数組の上記歯洗浄装置セットであってもよい（第１５の態様の実施形態）。
上記発明において、上記本体部は、上記凹部を歯列に被せた状態で歯列に沿って上記本体部を移動させたときに、前歯での歯列の曲率から奥歯での歯列の曲率の変化に対応して上記本体部の長手方向での曲率が変化するように可撓性を有していてもよい（第１６の態様の実施形態）。
【００１１】
第１の態様の実施形態によれば、凹部を歯列に被せた状態で歯列に沿って本体部を移動させたときに、歯洗浄作用部が歯の前面と歯の背面の両方または一方に接触して歯の洗浄作用を生じることができる。また本体部を歯列に沿って移動させるという簡単な操作だけで、歯を洗浄することが可能である。
【００１２】
第２の態様の実施形態によれば、使用者が把手を持って本体部を歯列に沿って移動させることができる。
第３の態様の実施形態によれば、使用時には把手を本体部に取り付けて使用し、不使用時には把手を本体部から外してコンパクトな状態で収納することができる。
【００１３】
第４の態様の実施形態によれば、使用者が把手を持って本体部を歯列に沿って移動させるときに、使用者が手首をひねったり、把手を持ち変えたりせずにスムースな歯の洗浄動作を行うことができる。
第５の態様の実施形態によれば、使用者が把手を特定の作業しやすい角度に固定して歯の洗浄動作を行うことができる。
【００１４】
第６の態様の実施形態によれば、使用者が指をリングに入れて歯の洗浄動作を行うことができる。
第７の態様の実施形態によれば、海綿状の材料が歯の表面の汚れを擦り取って、その汚れを材料内に保持することができる。また海綿状の材料は、歯洗浄補助液を含浸させ保持しやすい。更に海綿状の材料は歯茎のマッサージ作用を行うことができるとともに、歯と歯の間の清掃も行うことができる。海綿状の材料はスポンジなど多くの気泡を含む材料とすることができるが、歯に当たる部分と歯茎に当たる部分との気泡の大きさを変えるようにしてもよい。更に海綿状の材料は、歯列の凹凸に応答して形状が変化するため、個人で異なる歯列の凹凸に柔軟に対応することができる。
第８の態様の実施形態によれば、本体部を歯列に沿って移動させるときに、ブラシが歯の表面に圧接して汚れを掻き落とす。またブラシは歯洗浄補助液を含浸させ保持しやすい。
【００１５】
第９の態様の実施形態によれば、歯洗浄補助液が歯の表面に付着した汚れ等を歯から分離しやすくし、汚れ等を除去することが容易になる。
第１０の態様の実施形態によれば、結合部の内面に設けられるブラシが例えば奥歯同士の摺り合わせ表面に作用して、表面の汚れ等を掻き落とすことができる。
第１１の態様の実施形態によれば、前面部の内面と背面部の内面とが互いの方へ付勢傾向にあることで、前後から歯を付勢して挟むようになるため、歯の表面に付着した汚れ等を歯から落としやすくなる。
【００１６】
第１２の態様の実施形態によれば、前面部の内面と歯列の前面との接触面積が大きくなり、また背面部の内面と歯列の背面との接触面積も大きくなり、歯の洗浄作用が高まる。
第１３の態様の実施形態によれば、子供と大人のように歯列の大きさが異なる場合に、複数組の歯洗浄装置の中から各個人にあったものを選択して使用することができる。
第１４の態様の実施形態によれば、子供と大人のように歯の高さが異なる場合に、複数組の歯洗浄装置の中から各個人にあったものを選択して使用することができる。
【００１７】
第１５の態様の実施形態によれば、子供と大人のように前面部の内面の曲率および背面部の内面の曲率が異なる場合に、複数組の歯洗浄装置の中から各個人にあったものを選択して使用することができる。
第１６の態様の実施形態によれば、前歯での歯列の曲率と奥歯での歯列の曲率は通常異なるが、歯列に沿って本体部を移動させたときに、前歯での歯列の曲率から奥歯での歯列の曲率の変化に対応して本体部の長手方向での曲率が変化することで、前歯でも奥歯でも、前面部の内面と歯列の前面との接触面積あるいは背面部の内面と歯列の背面との接触面積がほぼ一定になり、歯の洗浄作用が上がる。
【図面の簡単な説明】
【００１８】
【図１】本発明の一実施形態に係る歯洗浄装置を示す斜視図である。
【図２Ａ】本発明の一実施形態に係る歯洗浄装置の種々の把手の形態を示す斜視図である。
【図２Ｂ】本発明の一実施形態に係る歯洗浄装置の種々の把手の形態を示す斜視図である。
【図３】本発明の一実施形態に係る歯洗浄装置の種々の歯洗浄作用部の形態を示す断面図である。
【図４】（ａ）は前面部の内面は歯列の前面の曲率と同じ曲率を有し、背面部の内面は歯列の背面の曲率と同じ曲率を有する本発明の一実施形態に係る歯洗浄装置を示し、（ｂ）はこのような形態でない場合の実施形態を示す説明図である。
【図５】前面部および背面部の長さがそれぞれ異なる本発明の一実施形態に係る複数組の歯洗浄装置を備えている歯洗浄装置セットを示す斜視図である。
【図６】前面部および背面部の高さがそれぞれ異なる本発明の一実施形態に係る複数組の歯洗浄装置を備えている歯洗浄装置セットを示す斜視図である。
【図７】前面部の内面の曲率および背面部の内面の曲率がそれぞれ異なる本発明の一実施形態に係る複数組の歯洗浄装置を備えている歯洗浄装置セットを示す斜視図である。
【図８】前歯での歯列の曲率から奥歯での歯列の曲率の変化に対応して本体部の長手方向での曲率が変化するように可撓性を有する本発明の一実施形態に係る歯洗浄装置を示す斜視図である。
【発明を実施するための形態】
【００１９】
以下において、本発明の歯洗浄装置について図面を参照しながら詳細に説明する。
図１に示すように本発明の一実施形態に係る歯洗浄装置１は、全体として本体部３と把手５とを備えている。なお把手５は必ずしも本発明の歯洗浄装置１に必須の構成要素ではないが、使用者が歯洗浄装置１を使い易くするために図１に示す実施形態では把手５を備えている。
【００２０】
図３に示すように本体部３は、歯列に被せて使用するときに、歯列の前面側に面する前面部７と、歯列の背面側に面する背面部９と、前面部７と背面部９とを結合する結合部１１とを備えている。前面部７の内面１３と、背面部９の内面１５と、結合部１１の内面１７とによって囲まれる部分には縦断面がほぼコの字状の凹部１９が形成されており、図１に示すように歯洗浄装置１の使用時に凹部１９に歯列Ｔが受け入れられるようになっている。前面部７の内面１３と背面部９の内面１５とには、凹部１９を歯列Ｔに被せた状態で歯列Ｔに沿って本体部３を移動させたときに、歯に接触して歯の洗浄作用をもたらす歯洗浄作用部２１が設けられている。図３に示すいずれの実施形態でも前面部７の内面１３と背面部９の内面１５の両方に歯洗浄作用部２１が設けられているが、歯洗浄作用部２１は前面部７の内面１３だけ、あるいは背面部９の内面１５だけに設けるようにしても構わない。また結合部１１の内面１７には、歯洗浄作用部２１が設けられていても設けられていなくてもよい。
【００２１】
図２Ａ（ａ）−（ｃ）と図２Ｂ（ｄ）−（ｆ）に基づいて、種々の把手５について説明する。図２Ａ（ａ）は棒状の材料を折り曲げ加工して把手５を形成したものであり、把手５は本体部３に溶接等によって接合されている。なお図２Ａ（ａ）の実施形態において、把手５を本体部３に対して特定の水平方向の角度あるいは特定の上下方向の角度を付けて固定することにより、使用者が把手５を持ちやすくしたり、扱いやすくすることもできる。
【００２２】
図２Ａ（ｂ）は把手５をリング状に形成した実施形態を示す。リング状の把手５は接続部２３において本体部３に接続されている。リング状の把手５は接続部２３において、回転しないように固定されていてもよいし、リング状の把手５が本体部３に対して回転できるように接続してもよい。また図２Ａ（ｂ）に示す実施形態ではリング状の把手５の向きが上下方向に向くように固定されているが、リング状の把手５の向きを図２Ａ（ｂ）に示す状態から斜めに傾けた状態で固定したり、図２Ａ（ｂ）に示す状態から９０度回転させてリングが水平になる状態で固定してもよい。リングの大きさは使用者の指の太さ、使用する指の種類に応じて適宜変更することができる。
【００２３】
図２Ａ（ｃ）は板状の把手５を本体部３に対して水平方向に回動可能に取り付けた実施形態を示す。使用者は把手５を手で握り、凹部１９を歯列Ｔに被せた状態で歯列Ｔに沿って本体部３を移動させるときに、把手５が回動支点２５を中心に回動可能であるから、手首を捻ったり、把手５を持ち替えたりしなくても歯の洗浄動作をスムースに行うことができる。
【００２４】
図２Ｂ（ｄ）は把手５を本体部３に対してボルト２７で固定する実施形態を示す。把手５の基端側には複数の係止溝２９が周囲に等間隔に形成された係止孔３１が形成されており、一方本体部３の上面には係止孔３１に対応して複数の突起部３３が周囲に等間隔に形成された係止突部３５が形成されている。係止孔３１の係止溝２９が係止突部３５の突起部３３の任意の位置に嵌まった状態で、ボルト２７を係止突部３５の中央に形成されたネジ孔３７に螺合させることにより、把手５を本体部３に対して固定することができる。また係止孔３１の係止溝２９と係止突部３５の突起部３３との周方向での位置を変えるように把手５を本体部３に対して回動させた状態で、上記同様にボルト２７で固定すれば、把手５を本体部３に対して種々の回動させた角度位置で固定することができる。図２Ｂ（ｅ）（ｆ）はほぼ円形の把手５を本体部３と一体的に形成し、把手５には指先で把手５をしっかりと保持できるように凹み５ａを形成した実施形態を示す。なお凹み５ａは把手５の上面だけでなく、下面にも形成することができる。
【００２５】
次に図３（ａ）から（ｅ）を参照しながら、歯洗浄作用部２１について説明する。図３（ａ）に示す実施形態では、歯洗浄作用部２１が海綿状材料３９で形成されている。海綿状材料３９は弾性を有する。海綿状材料３９の弾性は、凹部１９を歯列Ｔに被せたときに海綿状材料３９の弾性により海綿状材料３９が歯の前面と背面に接触することができ、且つその状態で歯列Ｔに沿って移動できる程度の弾性力を有することが好ましい。このような海綿状材料３９の例としては軟質ウレタンフォーム、スポンジなどの軟質プラスチック材料が挙げられるが、これらに限定されるものではなく、歯の前面と背面とに接触することができ、且つその状態で歯列Ｔに沿って移動できる程度の弾性力を有するものであれば材質を問わない。海綿状の材料は歯茎のマッサージ作用を行うことができるとともに、歯と歯の間の清掃も行うことができる。海綿状の材料は歯に当たる部分と歯茎に当たる部分との気泡の大きさを変えるようにしてもよい。例えば歯茎に当たる部分との気泡を大きくすれば、歯茎には優しく接触するため歯茎を痛めることを防止できる。更に海綿状の材料は、歯列の凹凸に応答して形状が変化するため、個人で異なる歯列の凹凸に柔軟に対応することができる。また図３（ｂ）に示すように歯洗浄作用部２１をブラシ４１で構成することもできる。ブラシ４１は、図３（ｂ）に示すように前面部の内面１３と背面部の内面１５の他、結合部の内面１７にも形成することができる。因みに結合部の内面１７に設けられるブラシ４１や海綿状材料３９は、奥歯同士の摺り合わせ表面に作用して、表面の汚れ等を掻き落とすことができる。
【００２６】
図３（ｃ）に示す実施形態は、本体部３において前面部の内面１３と背面部の内面１５とに海綿状材料３９を形成し、結合部の内面１７にブラシ４１を形成したものである。このように歯に接する部位により材料を変えることで、歯の部位毎により洗浄効果を上げることができる。図３（ｄ）に示す実施形態は、本体部３において前面部の内面１３と背面部の内面１５とにブラシ４１を一体成形するように形成したものである。
【００２７】
以上説明した実施形態は、本体部３が基本的に変形しないことを前提とした構成であるが、図３（ｅ）に示すように前面部の内面１３と背面部の内面１５とが互いの方へ付勢傾向（図３（ｅ）中の矢印を参照）を有するように弾性を有してもよい。即ち図３（ｅ）に示す実施形態の歯洗浄装置１の凹部１９を歯列Ｔに被せるときに、本体部３の前面部７と背面部９とを若干外側に拡げた状態で歯列Ｔに被せるようにする。外側に拡げる力を解除することにより、図３（ｅ）中の矢印で示すように海綿状材料３９が内側への付勢力を受けて歯列Ｔの前面と背面とに圧接するようになる。この状態で歯洗浄装置１を歯列Ｔに沿って移動することで、海綿状材料３９と、歯列Ｔの前面と背面との摩擦力が高まりより高い洗浄作用が期待できる。
【００２８】
歯洗浄作用部には歯洗浄補助液を含浸させることができる。歯洗浄補助液は例えば歯周病の原因となる嫌気性菌等の歯細菌に対する殺菌成分を含んだ種々の液を適用でき、一例としてジョンソン・エンド・ジョンソン株式会社が製造・販売する登録商標「リステリン」が使用できる。「リステリン」には、歯細菌の殺菌、除去成分として１．８−シネオール、チモール、サリチル酸メチル、l−メントールの４つの有効成分が含まれており、これらの有効成分用の溶剤としてエタノール、保存剤として安息香酸、その他溶剤補助剤、着色剤、ＰＨ調整剤が含まれている。歯洗浄作用部２１がブラシである場合には、歯洗浄補助液はブラシの毛の間に含浸させることができ、歯洗浄補助液が海綿状材料である場合には、歯洗浄補助液は海綿状材料の中に含浸させることができる。使用の途中で歯洗浄補助液を適宜追加して歯洗浄作用部２１に含浸させることもできる。
【００２９】
次に図４を参照しながら本体部３の水平断面での湾曲の程度について説明する。図４（ａ）に示すように、本体部３の前面部７の内面１３は歯列Ｔの前面の曲率と同じ曲率を有し、背面部９の内面１５は歯列Ｔの背面の曲率と同じ曲率を有することが好ましい。このような構成を備えることで、前面部７の内面１３は歯列Ｔの前面とがより多くの面でぴったりと接触し、また背面部９の内面１５は歯列Ｔの背面とがより多くの面でぴったりと接触することができるので、歯の洗浄作用を高めることができる。図４（ｂ）に示すように、本体部３の前面部７の内面１３が歯列Ｔの前面の曲率と同じ曲率を有さず、また背面部９の内面１５が歯列Ｔの背面の曲率と同じ曲率を有さないと、歯列Ｔと、本体部３の前面部７の内面１３または背面部９の内面１５との間に隙間Ｓが形成されてしまい、両者が接触する部分が狭くなるので歯の洗浄作用を高めることができない。
【００３０】
本願発明の歯洗浄装置１は、老若男女種々の人が使用することができるが、歯の大きさや形状は人によって千差万別であるので、本願発明の歯洗浄装置１を異なる大きさや異なる形態のセットとして準備することができる。例えば図５に示す実施形態は、前面部７および背面部９の長さがそれぞれ異なる複数組の歯洗浄装置１を備えている歯洗浄装置セットを示す。また図６に示す実施形態は、前面部７および背面部９の高さがそれぞれ異なる複数組の歯洗浄装置１を備えている歯洗浄装置セットを示す。更に図７に示す実施形態は、前面部７の内面１３の曲率および背面部９の内面１５の曲率がそれぞれ異なる複数組の歯洗浄装置１を備えている歯洗浄装置セットを示す。このように前面部７および背面部９の長さや高さ、前面部７の内面１３の曲率および背面部９の内面１５の曲率がそれぞれ異なる複数組の歯洗浄装置１を予め備えておき、歯科医などが使用者に最も合う形態の歯洗浄装置１を選択することにより、使用者は洗浄効果の高い歯洗浄装置１を使用することができる。
【００３１】
図８に示す実施形態は、前歯での歯列Ｔ１の曲率から奥歯での歯列Ｔ２の曲率の変化に対応して、本体部３の長手方向での湾曲の曲率が変化するように可撓性を有する歯洗浄装置を示す。即ち人の歯は通常、前歯の歯列Ｔ１から犬歯付近までの並びの曲率は比較的大きく、犬歯付近から奥歯での歯列Ｔ２の並びの曲率は比較的小さい。従って一定の湾曲の曲率を有する一つの歯洗浄装置１で、前歯の歯列Ｔ１から奥歯での歯列Ｔ２までの歯を洗浄しようとしても歯列Ｔの曲率の変化に対応できず、十分な洗浄効果が得られない可能性がある。図８に示す実施形態では、本体部３がその長手方向で可撓性を有し、前歯の歯列Ｔ１から奥歯での歯列Ｔ２までの歯列Ｔの曲率の変化に対応して、本体部３が長手方向での湾曲の曲率が変化するように変形することができる。従って前歯の歯列Ｔ１から犬歯付近までの並びの曲率が比較的大きい領域では、この領域の曲率に合うように本体部３が長手方向で比較的大きく撓み、一方犬歯付近から奥歯での歯列Ｔ２までの曲率が比較的小さい領域では、この領域の曲率に合うように本体部３が長手方向で比較的小さく撓むようになる。これにより本体部３の前面部７と背面部９が歯列Ｔに接触する部分が大きくなり、歯の洗浄効果が高まる。
【符号の説明】
【００３２】
１  歯洗浄装置
３  本体部
５  把手
５ａ  凹み
７  前面部
９  背面部
１１  結合部
１３  前面部の内面
１５  背面部の内面
１７  結合部の内面
１９  凹部
２１  歯洗浄作用部
２３  接続部
２５  回動支点
２７  ボルト
２９  係止溝
３１  係止孔
３３  突起部
３５  係止突部
３７  ネジ孔
３９  海綿状材料
４１  ブラシ
Ｔ  歯列
Ｔ１  前歯の歯列
Ｔ２  奥歯の歯列
Ｓ  隙間
【図１】
2018187020.tif 000003
【図２Ａ】
2018187020.tif 000004
【図２Ｂ】
2018187020.tif 000005
【図３】
2018187020.tif 000006
【図４】
2018187020.tif 000007
【図５】
2018187020.tif 000008
【図６】
2018187020.tif 000009
【図７】
2018187020.tif 000010
【図８】
2018187020.tif 000011